(57)【要約】【課題】製本強度を保ちつつ大きく開くことができ、しかも天側及び地側の見栄えも損なわないアルバム及びその製造方法、並びにアルバム台紙及びその製造方法を提供する。【解決手段】アルバム台紙２５を複数重ねて綴じてなるアルバム２０の製造方法において、印刷工程１００と、ベース材１１ののど側縁部１１ａに、天側保護部２１と地側保護部２２を残すように長孔２３を形成する孔開け工程２００と、ベース材１１にフィルム１３を貼着し長孔２３を塞ぐラミネート工程３００と、ベース材１１を複数重ねてのどＧ側を綴じる綴じ工程４００と、天側保護部２１をベース材１１の天Ｈに平行に切断して複数のベース材１１の天側端部１１ｅを切り落とすとともに、地側保護部２２をベース材１１の地Ｔに平行に切断して複数のベース材１１の地側端部１１ｆを切り落とす断裁工程５００と、ベース材１１に表紙１６を付ける表紙付け工程６００と、を備える。【選択図】図７
2011218567.tif 000002
【特許請求の範囲】
【請求項１】
写真等の画像が直接印刷される矩形状のアルバム台紙を複数重ねて綴じてなるアルバムの製造方法において、
前記アルバム台紙用のベース材の少なくとも片面に画像を印刷する印刷工程と、
前記画像が印刷されたベース材ののど側縁部に、天側端部には天側保護部を、地側端部には地側保護部をそれぞれ残すように、前記のどに平行に延びる長孔を形成する孔開け工程と、
前記長孔が形成されたベース材の表裏全面にフィルムを貼着し、前記ベース材の表面を保護するとともに前記長孔を塞ぐラミネート工程と、
前記フィルムが貼着されたベース材を複数重ねて前記のど側を綴じる綴じ工程と、
前記天側保護部の一部を前記ベース材の天に平行に切断して前記複数のベース材の天側端部を切り落とすとともに、前記地側保護部の一部を前記ベース材の地に平行に切断して前記複数のベース材の地側端部を切り落とす断裁工程と、
前記断裁されたベース材に表紙を付ける表紙付け工程と、を備えることを特徴とするアルバムの製造方法。
【請求項２】
前記断裁工程において、切り落とされた後に残る前記天側保護部の部位及び前記地側保護部の部位の上下方向の長さが、前記長孔の幅以下になるように前記天側端部及び前記地側端部を切り落とすことを特徴とする請求項１に記載のアルバムの製造方法。
【請求項３】
写真等の画像が直接印刷される矩形状のアルバム台紙の製造方法において、
前記アルバム台紙用のベース材の少なくとも片面に画像を印刷する印刷工程と、
前記画像が印刷されたベース材ののど側縁部に、天側端部には天側保護部を、地側端部には地側保護部をそれぞれ残すように、前記のどに平行に延びる長孔を形成する孔開け工程と、
前記長孔が形成されたベース材の表裏全面にフィルムを貼着し、前記ベース材の表面を保護するとともに前記長孔を塞ぐラミネート工程と、
前記天側保護部の一部を前記ベース材の天に平行に切断して前記ベース材の天側端部を切り落とすとともに、前記地側保護部の一部を前記ベース材の地に平行に切断して前記ベース材の地側端部を切り落とす断裁工程と、を備えることを特徴とするアルバム台紙の製造方法。
【請求項４】
写真等の画像が直接印刷される矩形状のアルバム台紙を複数重ねて綴じてなるアルバムにおいて、
前記アルバム台紙は、前記アルバム台紙用のベース材ののど側縁部に、天側端部には天側保護部を、地側端部には地側保護部をそれぞれ残すように、前記のどに平行に延びる長孔が形成されるとともに、前記ベース材の表面を保護ししかも前記長孔を塞ぐフィルムが表裏全面に貼着されてなり、
さらに、複数重ねて綴じられた前記アルバム台紙に付けられる表紙を備えることを特徴とするアルバム。
【請求項５】
写真等の画像が直接印刷される矩形状のアルバム台紙において、
前記アルバム台紙用のベース材ののど側縁部に、天側端部には天側保護部を、地側端部には地側保護部をそれぞれ残すように、前記のどに平行に延びる長孔が形成されるとともに、前記ベース材の表面を保護ししかも前記長孔を塞ぐフィルムが表裏全面に貼着されてなることを特徴とするアルバム台紙。
【請求項６】
写真等の画像が直接印刷される矩形状のアルバム台紙を複数重ねて綴じてなるアルバムの製造方法において、
前記アルバム台紙用のベース材の少なくとも片面に画像を印刷する印刷工程と、
前記画像が印刷されたベース材ののど側縁部に、天側端部には天側保護部を、地側端部には地側保護部をそれぞれ残すように、前記のどに平行に延びる長孔を形成する孔開け工程と、
前記長孔が形成されたベース材の表裏全面にフィルムを貼着し、前記ベース材の表面を保護するとともに前記長孔を塞ぐラミネート工程と、
前記フィルムが貼着されたベース材を複数重ねて前記のど側を綴じる綴じ工程と、
前記綴じられたベース材に表紙を付ける表紙付け工程と、を備えることを特徴とするアルバムの製造方法。
【請求項７】
写真等の画像が直接印刷される矩形状のアルバム台紙の製造方法において、
前記アルバム台紙用のベース材の少なくとも片面に画像を印刷する印刷工程と、
前記画像が印刷されたベース材ののど側縁部に、天側端部には天側保護部を、地側端部には地側保護部をそれぞれ残すように、前記のどに平行に延びる長孔を形成する孔開け工程と、
前記長孔が形成されたベース材の表裏全面にフィルムを貼着し、前記ベース材の表面を保護するとともに前記長孔を塞ぐラミネート工程と、を備えることを特徴とするアルバム台紙の製造方法。
【発明の詳細な説明】
【技術分野】
【０００１】
本発明は、写真等の画像が直接印刷される矩形状のアルバム台紙を複数重ねて綴じてなるアルバム及びその製造方法、並びにそのアルバムに使用されるアルバム台紙及びその製造方法に関するものである。
【背景技術】
【０００２】
近年のデジタルカメラの普及により、写真が一般ユーザーにとって一段と身近なものとなり、それに伴って一般ユーザーがアルバムとして製本する機会も増えている。
このようなアルバムの各ページを構成するアルバム台紙には、印刷された写真を透明なポケットに挿入して写真を配置する簡易なタイプや、卒業アルバムや結婚式のアルバムのように写真等の画像をアルバム台紙に直接印刷する高級なタイプがある。
【０００３】
このアルバム台紙に直接画像が印刷されるタイプのアルバムとして、見開きのアルバム台紙が大きく開くアルバムが開示されている（例えば、特許文献１参照）。
【先行技術文献】
【特許文献】
【０００４】
【特許文献１】特開２００９−２６９２２１号公報
【０００５】
特許文献１に記載の発明に係るアルバムは、以下のようにして製造されてなる。
まず、印刷工程において、図１２に示すように、矩形状のベース材１１を用意し、ベース材１１の少なくとも片面に画像を印刷する。
次に、孔開け工程において、図１３に示すように、ベース材１１ののど側縁部１１ａに、のどＧに平行に延びる長孔１２を形成する。
次に、ラミネート工程において、図１４に示すように、ベース材１１の表裏全面に透明のポリプロピレンフィルム１３を貼着し、フィルム１３で長孔１２を塞ぐ。
そして、断裁工程において、図１５に示すように、ベース材１１の天側縁部１１ｂ及び地側縁部１１ｃをベース材１１の天Ｈに平行に切断し、長孔１２の天側端部１２ａ及び地側端部１２ｂを切り落とす。
最後に、そのように形成されたアルバム台紙１５を綴じ工程において、複数重ねてのどＧ側を綴じ、表紙１６を付けてアルバム１０とする。
【０００６】
このように製造されたアルバム１０によると、図１６に示すように、アルバム台紙１５は、長孔１２において表側のフィルム１３と裏側のフィルム１３が互いに貼り合わされた状態となるので、アルバム１０を開くとアルバム台紙１５はこの長孔１２のフィルム１３部分で折れ曲がる。つまり、長孔１２で貼り合わされたフィルム１３はベース材１１よりも薄く柔軟であるので、図１７に示すように、アルバム１０を開いたときに見開きのアルバム台紙１５は完全に水平となり、視認性に優れる。
【発明の概要】
【発明が解決しようとする課題】
【０００７】
しかしながら、図１８に示すように、アルバム台紙１５を斜めに引く方向に力が加わると、長孔１２におけるフィルム１３が容易に破れてしまい、アルバム１０からアルバム台紙１５が脱落してしまうという問題がある。これは製本上致命的な欠陥である。
また、長孔１２におけるフィルム１３の色がベース材１１の色とは異なり透明であるので、アルバム１０を天Ｈ側又は地Ｔ側から見たときに、図１９に示すように、長孔１２部分が目立ってしまい見栄えが悪いという問題もある。
【０００８】
そこで、本発明の目的とするところは、製本強度を保ちつつ大きく開くことができ、しかも天側及び地側の見栄えも損なわないアルバム及びその製造方法、並びにアルバム台紙及びその製造方法を提供することにある。
【課題を解決するための手段】
【０００９】
上記の目的を達成するために、本発明の請求項１に記載のアルバム（２０）の製造方法は、写真等の画像が直接印刷される矩形状のアルバム台紙（２５）を複数重ねて綴じてなるアルバム（２０）の製造方法において、前記アルバム台紙（２５）用のベース材（１１）の少なくとも片面に画像を印刷する印刷工程（１００）と、前記画像が印刷されたベース材（１１）ののど側縁部（１１ａ）に、天側端部（１１ｅ）には天側保護部（２１）を、地側端部（１１ｆ）には地側保護部（２２）をそれぞれ残すように、前記のど（Ｇ）に平行に延びる長孔（２３）を形成する孔開け工程（２００）と、前記長孔（２３）が形成されたベース材（１１）の表裏全面にフィルム（１３）を貼着し、前記ベース材（１１）の表面を保護するとともに前記長孔（２３）を塞ぐラミネート工程（３００）と、前記フィルム（１３）が貼着されたベース材（１１）を複数重ねて前記のど（Ｇ）側を綴じる綴じ工程（４００）と、前記天側保護部（２１）の一部を前記ベース材（１１）の天（Ｈ）に平行に切断して前記複数のベース材（１１）の天側端部（１１ｅ）を切り落とすとともに、前記地側保護部（２２）の一部を前記ベース材（１１）の地（Ｔ）に平行に切断して前記複数のベース材（１１）の地側端部（１１ｆ）を切り落とす断裁工程（５００）と、前記断裁されたベース材（１１）に表紙（１６）を付ける表紙付け工程（６００）と、を備えることを特徴とする。
【００１０】
また、請求項２に記載のアルバム（２０）の製造方法は、前記断裁工程（５００）において、切り落とされた後に残る前記天側保護部（２１）の部位及び前記地側保護部（２２）の部位の上下方向の長さが、前記長孔（２３）の幅以下になるように前記天側端部（１１ｅ）及び前記地側端部（１１ｆ）を切り落とすことを特徴とする。
【００１１】
また、請求項３に記載のアルバム台紙（２５）の製造方法は、写真等の画像が直接印刷される矩形状のアルバム台紙（２５）の製造方法において、前記アルバム台紙（２５）用のベース材（１１）の少なくとも片面に画像を印刷する印刷工程（１００）と、前記画像が印刷されたベース材（１１）ののど側縁部（１１ａ）に、天側端部（１１ｅ）には天側保護部（２１）を、地側端部（１１ｆ）には地側保護部（２２）をそれぞれ残すように、前記のど（Ｇ）に平行に延びる長孔（２３）を形成する孔開け工程（２００）と、前記長孔（２３）が形成されたベース材（１１）の表裏全面にフィルム（１３）を貼着し、前記ベース材（１１）の表面を保護するとともに前記長孔（２３）を塞ぐラミネート工程（３００）と、前記天側保護部（２１）の一部を前記ベース材（１１）の天（Ｈ）に平行に切断して前記ベース材（１１）の天側端部（１１ｅ）を切り落とすとともに、前記地側保護部（２２）の一部を前記ベース材（１１）の地（Ｔ）に平行に切断して前記ベース材（１１）の地側端部（１１ｆ）を切り落とす断裁工程（７００）と、を備えることを特徴とする。
【００１２】
また、請求項４に記載のアルバム（２０）は、写真等の画像が直接印刷される矩形状のアルバム台紙（２５）を複数重ねて綴じてなるアルバム（２０）において、前記アルバム台紙（２５）は、前記アルバム台紙（２５）用のベース材（１１）ののど側縁部（１１ａ）に、天側端部（１１ｅ）には天側保護部（２１）を、地側端部（１１ｆ）には地側保護部（２２）をそれぞれ残すように、前記のど（Ｇ）に平行に延びる長孔（２３）が形成されるとともに、前記ベース材（１１）の表面を保護ししかも前記長孔（２３）を塞ぐフィルム（１３）が表裏全面に貼着されてなり、さらに、複数重ねて綴じられた前記アルバム台紙（２５）に付けられる表紙（１６）を備えることを特徴とする。
【００１３】
また、請求項５に記載のアルバム台紙（２５）は、写真等の画像が直接印刷される矩形状のアルバム台紙（２５）において、前記アルバム台紙（２５）用のベース材（１１）ののど側縁部（１１ａ）に、天側端部（１１ｅ）には天側保護部（２１）を、地側端部（１１ｆ）には地側保護部（２２）をそれぞれ残すように、前記のど（Ｇ）に平行に延びる長孔（２３）が形成されるとともに、前記ベース材（１１）の表面を保護ししかも前記長孔（２３）を塞ぐフィルム（１３）が表裏全面に貼着されてなることを特徴とする。
【００１４】
また、請求項６に記載のアルバム（２０）の製造方法は、写真等の画像が直接印刷される矩形状のアルバム台紙（２５）を複数重ねて綴じてなるアルバム（２０）の製造方法において、前記アルバム台紙（２５）用のベース材（１１）の少なくとも片面に画像を印刷する印刷工程（１００）と、前記画像が印刷されたベース材（１１）ののど側縁部（１１ａ）に、天側端部（１１ｅ）には天側保護部（２１）を、地側端部（１１ｆ）には地側保護部（２２）をそれぞれ残すように、前記のど（Ｇ）に平行に延びる長孔（２３）を形成する孔開け工程（２００）と、前記長孔（２３）が形成されたベース材（１１）の表裏全面にフィルム（１３）を貼着し、前記ベース材（１１）の表面を保護するとともに前記長孔（２３）を塞ぐラミネート工程（３００）と、前記フィルム（１３）が貼着されたベース材（１１）を複数重ねて前記のど（Ｇ）側を綴じる綴じ工程（４００）と、前記綴じられたベース材（１１）に表紙（１６）を付ける表紙付け工程（６００）と、を備えることを特徴とする。
【００１５】
また、請求項７に記載のアルバム台紙（２５）の製造方法は、写真等の画像が直接印刷される矩形状のアルバム台紙（２５）の製造方法において、前記アルバム台紙（２５）用のベース材（１１）の少なくとも片面に画像を印刷する印刷工程（１００）と、前記画像が印刷されたベース材（１１）ののど側縁部（１１ａ）に、天側端部（１１ｅ）には天側保護部（２１）を、地側端部（１１ｆ）には地側保護部（２２）をそれぞれ残すように、前記のど（Ｇ）に平行に延びる長孔（２３）を形成する孔開け工程（２００）と、前記長孔（２３）が形成されたベース材（１１）の表裏全面にフィルム（１３）を貼着し、前記ベース材（１１）の表面を保護するとともに前記長孔（２３）を塞ぐラミネート工程（３００）と、を備えることを特徴とする。
【００１６】
ここで、上記括弧内の記号は、図面および後述する発明を実施するための形態に掲載された対応要素または対応事項を示す。
【発明の効果】
【００１７】
本発明の請求項１に記載のアルバムの製造方法によれば、孔開け工程の後に、長孔が形成されたベース材の表裏全面にフィルムを貼着するラミネート工程を備えるので、画像が印刷されたベース材の表面を保護できるとともに、長孔を塞ぐことができる。つまり、長孔においては、厚いベース材が存在しないので、この部分において容易にベース材を折り曲げることができる。
よって、厚手の素材で構成されるベース材を使用してアルバムを製造しても、見開きのベース材が大きく自然な開きとなるので、ベース材に印刷された画像の視認性に優れる。
しかも、長孔の天側及び地側にはそれぞれ天側保護部及び地側保護部を残して長孔を形成し、長孔ではベース材より薄くて軟質なフィルムが表裏から貼り合わされ、天側保護部及び地側保護部では、表側のフィルム、ベース材、裏側のフィルムの三層構造となるので、この折り曲げる長孔部分の強度を保つことができる。したがって、ベース材を斜めに引く方向に力が加わっても長孔部分が破れ難いので、アルバムからベース材が脱落し難い。
【００１８】
また、ラミネート工程の後に、フィルムが貼着されたベース材を複数重ねてのど側を綴じる綴じ工程を備え、その後に、天側保護部の一部をベース材の天に平行に切断して複数のベース材の天側端部を切り落とすとともに、地側保護部の一部をベース材の地に平行に切断して複数のベース材の地側端部を切り落とす断裁工程を備えるので、長孔部分における折り曲げ容易性と強度のバランスを調整することができる。
つまり、折り曲げる長孔部分の柔軟性が不足して見開きのベース材の開きが小さくなる場合には、裁断工程において、長孔に近い部分を切断することで、切り落とされた後に残る天側保護部の部位及び地側保護部の部位の上下方向の長さを短くすればよい。また、長孔部分の柔軟性が十分で見開きのベース材の開きが大きくなる場合には、複数のベース材の天及び地が揃えられさえすればよいので、裁断工程において、長孔から遠い部分を切断することで、切り落とされた後に残る天側保護部の部位及び地側保護部の部位の上下方向の長さを長くして、長孔部分の強度を保つことができる。
【００１９】
また、切り落とされた後にも天側保護部及び地側保護部が残るので、複数のベース材を天側及び地側から見たときには長孔は見えずに天側保護部及び地側保護部が見える。ここで、天側保護部及び地側保護部は、ベース材の他の部分と同じ材質、同じ色であるので、天側及び地側からは通常のアルバムのように見え、大きく開くアルバムであっても見栄えが悪くない。
加えて、アルバム台紙用のベース材の少なくとも片面に画像を印刷する印刷工程の後、画像が印刷されたベース材ののど側縁部に、天側端部には天側保護部を、地側端部には地側保護部をそれぞれ残すように、のどに平行に延びる長孔を形成する孔開け工程を備えるので、画像の印刷が容易である。つまり、仮に孔開け工程の後に印刷工程となる場合には、ベース材表面から大きく凹んだ長孔が印刷の障害となるが、印刷工程の後に孔開け工程とする場合には、印刷に際して障害となる長孔がないので印刷が容易である。
【００２０】
また、請求項２に記載のアルバムの製造方法によれば、断裁工程において、切り落とされた後に残る天側保護部の部位及び地側保護部の部位の上下方向の長さが、長孔の幅以下になるように天側端部及び地側端部を切り落とすので、長孔部分における折り曲げ容易性と強度のバランスがよい。
【００２１】
また、請求項３に記載のアルバム台紙の製造方法によれば、孔開け工程の後に、長孔が形成されたベース材の表裏全面にフィルムを貼着するラミネート工程を備えるので、画像が印刷されたベース材の表面を保護できる。
また、長孔部分において容易にベース材を折り曲げることができるとともに、長孔部分に貼着された軟質なフィルムと天側保護部及び地側保護部によって、この折り曲げる長孔部分の強度を保つことができる。
【００２２】
さらに、天側保護部の一部をベース材の天に平行に切断してベース材の天側端部を切り落とすとともに、地側保護部の一部をベース材の地に平行に切断してベース材の地側端部を切り落とす断裁工程を備えるので、長孔部分における折り曲げ容易性と強度のバランスを調整することができる。よって、このアルバム台紙を複数重ねて綴じてアルバムとしたとき、見開きのアルバム台紙が大きく開くので、アルバム台紙に印刷された画像の視認性に優れる。しかも、天側保護部及び地側保護部を残しているので、アルバムの製本強度を保つことができ、アルバム台紙を引っ張ってもアルバムからアルバム台紙が脱落し難い。
また、アルバム台紙用のベース材の少なくとも片面に画像を印刷する印刷工程の後、画像が印刷されたベース材ののど側縁部に、天側端部には天側保護部を、地側端部には地側保護部をそれぞれ残すように、のどに平行に延びる長孔を形成する孔開け工程を備えるので、画像の印刷が容易である。
【００２３】
また、請求項４に記載のアルバムによれば、アルバム台紙は、アルバム台紙用のベース材ののど側縁部に、天側端部には天側保護部を、地側端部には地側保護部をそれぞれ残すように、のどに平行に延びる長孔が形成されるとともに、ベース材の表面を保護ししかも長孔を塞ぐフィルムが表裏全面に貼着されてなるので、厚いベース材が存在しない長孔において容易にアルバム台紙を折り曲げることができる。
また、長孔ではベース材より薄くて軟質なフィルムが表裏から貼り合わされ、長孔の天側及び地側にはそれぞれ天側保護部及び地側保護部を残して長孔を形成しているので、この折り曲げる長孔部分の強度を保つことができる。
しかも、このアルバム台紙を複数重ねて綴じてなるアルバムを天側及び地側から見たときには長孔は見えずに天側保護部及び地側保護部が見える。この部分はベース材の他の部分と同じように見えるので、見栄えが悪くない。
【００２４】
また、請求項５に記載のアルバム台紙によれば、アルバム台紙用のベース材ののど側縁部に、天側端部には天側保護部を、地側端部には地側保護部をそれぞれ残すように、のどに平行に延びる長孔が形成されるとともに、ベース材の表面を保護ししかも長孔を塞ぐフィルムが表裏全面に貼着されてなるので、厚いベース材が存在しない長孔部分において容易にアルバム台紙を折り曲げることができ、しかもこの長孔部分の強度を保つことができる。
しかも、このアルバム台紙を複数重ねて綴じてアルバムを作成したときに、天側及び地側の見栄えが悪くない。
【００２５】
また、請求項６に記載のアルバムの製造方法によれば、画像が印刷されたベース材ののど側縁部に、天側端部には天側保護部を、地側端部には地側保護部をそれぞれ残すように、のどに平行に延びる長孔を形成する孔開け工程の後、長孔が形成されたベース材の表裏全面にフィルムを貼着し、ベース材の表面を保護するとともに長孔を塞ぐラミネート工程を備えるので、画像が印刷されたベース材の表面を保護できるとともに、長孔を塞ぐことができる。つまり、厚いベース材が存在しない長孔において、容易にベース材を折り曲げることができ、しかも、長孔にはベース材より薄くて軟質なフィルムが表裏から貼り合わされ、長孔の天側及び地側にはそれぞれ天側保護部及び地側保護部を残して長孔を形成しているので、この折り曲げる長孔部分の強度を保つことができる。
そして、フィルムが貼着されたベース材を複数重ねてのど側を綴じる綴じ工程と、綴じられたベース材に表紙を付ける表紙付け工程と、を備えるので、アルバム製造のための工数が少なくて済む。つまり、それぞれのベース材の大きさが揃っており、しかもベース材を複数重ねたとき、それぞれのベース材の位置のバラツキが無視できる程度に小さい場合には、ベース材の天側端部や地側端部を切り落とす必要がないので、綴じ工程の後にすぐ表紙付け工程を行うことができる。よって、アルバム製造にかかる時間とコストを低減することができる。
また、アルバムを天側及び地側から見たときには長孔は見えずに天側保護部及び地側保護部がベース材の他の部分と同じように見えるので、見栄えが悪くない。
【００２６】
また、請求項７に記載のアルバム台紙の製造方法によれば、画像が印刷されたベース材ののど側縁部に、天側端部には天側保護部を、地側端部には地側保護部をそれぞれ残すように、のどに平行に延びる長孔を形成する孔開け工程の後、長孔が形成されたベース材の表裏全面にフィルムを貼着し、ベース材の表面を保護するとともに長孔を塞ぐラミネート工程を備えるので、画像が印刷されたベース材の表面を保護できるとともに、長孔を塞ぐことができる。つまり、厚いベース材が存在しない長孔において、容易にベース材を折り曲げることができ、しかも、長孔ではベース材より薄くて軟質なフィルムが表裏から貼り合わされ、長孔の天側及び地側にはそれぞれ天側保護部及び地側保護部を残して長孔を形成しているので、この折り曲げる長孔部分の強度を保つことができる。
また、このアルバム台紙を複数重ねて綴じてアルバムとしたとき、天側及び地側の見栄えが悪くない。また、このとき、見開きのアルバム台紙が大きく開くので、アルバム台紙に印刷された画像の視認性に優れる。しかも、天側保護部及び地側保護部を残しているので、アルバムの製本強度を保つことができ、アルバム台紙を引っ張ってもアルバムからアルバム台紙が脱落し難い。
さらに、印刷工程、孔開け工程、ラミネート工程のみでアルバム台紙が製造されるので、製造コストが低廉である。
【００２７】
なお、上述した特許文献１にも長孔の表裏からテープを貼着する点については記載されているが、本発明のアルバム及びアルバム台紙のように、長孔の天側に天側保護部、地側に地側保護部を備える点は、上述した特許文献１には全く記載されていないし、その製造方法についても全く記載されていない。
【図面の簡単な説明】
【００２８】
【図１】本発明の第一実施形態に係るアルバムの製造方法における製造工程を示す図である。
【図２】図１に示す製造工程のうち、印刷工程を示す平面図である。
【図３】図１に示す製造工程のうち、孔開け工程を示す平面図である。
【図４】図１に示す製造工程のうち、ラミネート工程を示す平面図である。
【図５】図４に示すアルバム台紙のＢ−Ｂ線拡大断面図である。
【図６】図１に示す製造工程のうち、綴じ工程を示す斜視図である。
【図７】図１に示す製造工程のうち、断裁工程を示す斜視図である。
【図８】図１に示す製造工程のうち、表紙付け工程を示す拡大側面図である。
【図９】本発明の第一実施形態に係るアルバムを示す斜視図である。
【図１０】本発明の第二実施形態に係るアルバムの製造方法における製造工程を示す図である。
【図１１】図１０に示す製造工程のうち、断裁工程を示す平面図である。
【図１２】従来例に係るアルバムの製造方法における製造工程のうち、印刷工程を示す平面図である。
【図１３】従来例に係るアルバムの製造方法における製造工程のうち、孔開け工程を示す平面図である。
【図１４】従来例に係るアルバムの製造方法における製造工程のうち、ラミネート工程を示す平面図である。
【図１５】従来例に係るアルバムの製造方法における製造工程のうち、断裁工程を示す平面図である。
【図１６】図１５に示すアルバム台紙のＡ−Ａ線拡大断面図である。
【図１７】従来例に係るアルバムを示す側面図である。
【図１８】図１７に示すアルバムの斜視図である。
【図１９】図１７に示すアルバムを閉じた状態の側面図である。
【発明を実施するための形態】
【００２９】
（第一実施形態）
図１乃至図９を参照して、本発明の第一実施形態に係るアルバム２０及びその製造方法を説明する。
このアルバム２０は、写真等の画像が直接印刷される矩形状のアルバム台紙２５を複数重ねて綴じられるものであり、その製造方法は図１に示すように、印刷工程１００と、孔開け工程２００と、ラミネート工程３００と、綴じ工程４００と、断裁工程５００と、表紙付け工程６００とを備える。
【００３０】
まず、印刷工程１００において、図２に示すように、印刷と印刷状態の長期保存に適したアルバム台紙２５用の矩形状のベース材１１を用意する。そして、事前にパソコン上でレイアウトされた写真をベース材１１の表裏両面に印刷する。特に、アルバム２０として製本されたときに見開き両ページに写真が亘る場合には、後の孔開け工程２００で形成される長孔２３に掛かるように写真を印刷しておく。このようなベース材１１は一般のコピー用紙に比べて厚手である。
【００３１】
次に、孔開け工程２００では、図３に示すように、画像が印刷されたベース材１１ののど側縁部１１ａに、天側端部１１ｅには天側保護部２１を、地側端部１１ｆには地側保護部２２をそれぞれ残すように、のどＧに平行に延びる長孔２３を形成する。つまり、長孔２３によってベース材１１ののどＧ側が切り離されないように長孔２３を形成する。また、ベース材１１の長孔２３よりものどＧ側部分は、製本するときに糸で綴じることができる幅とする。
なお、天側保護部２１及び地側保護部２２の上下方向の（のどＧに平行な）長さＬ１，Ｌ２はそれぞれ略５ｍｍとした。また、長孔２３の、天Ｈに平行な方向の幅Ｗは略３ｍｍである。
【００３２】
次に、ラミネート工程３００では、図４に示すように、長孔２３が形成されたベース材１１の表裏全面に、透明なポリプロピレン製のフィルム１３を貼着し、ベース材１１の表面を保護するとともに長孔２３を塞ぐ。このフィルム１３はベース材１１より薄く軟質で、片面に粘着剤が施されているものである。
つまり、長孔２３部分においては、図５に示すように、表側のフィルム１３と裏側のフィルム１３が直接貼り合わされる。但し、貼り合わされたフィルム１３二枚分であっても、ベース材１１より薄く軟質である。
この印刷工程１００からラミネート工程３００までで、アルバム台紙２５が出来上がる。そして、所望のページ分アルバム台紙２５（フィルム１３が貼着されたベース材１１）を製造しておく。
【００３３】
次に、綴じ工程４００では、図６に示すように、フィルム１３が貼着された複数のベース材１１の天地Ｈ，Ｔ方向、及びのどＧの方向を揃えて重ね、のどＧ側を糸で綴じる。
【００３４】
次に、断裁工程５００では、図７に示すように、天側保護部２１の一部をベース材１１の天Ｈに平行に切断して複数のベース材１１の天側端部１１ｅを切り落とす。さらに、地側保護部２２の一部をベース材１１の地Ｔに平行に切断して複数のベース材１１の地側端部１１ｆを切り落とす。また、小口側端部１１ｇも切り落とす。
この断裁によって、切り落とされた後に残る天側保護部２１の部位及び地側保護部２２の部位の上下方向の長さＬ３，Ｌ４はそれぞれ２〜３ｍｍである。
【００３５】
最後に表紙付け工程６００において、図８に示すように、断裁されたベース材１１に表紙１６（おもて表紙１６ａ、裏表紙１６ｂ、背表紙１６ｃ）を付ける。そして、天側保護部２１、長孔２３、及び地側保護部２２に相対するおもて表紙１６ａ及び裏表紙１６ｃの部位に、アルバム２０の厚さ方向に圧力を加えて、折り目となる凹溝１７を形成する。
【００３６】
以上のように構成及び製造されたアルバム２０によれば、孔開け工程２００の後に、長孔２３が形成されたベース材１１の表裏全面にフィルム１３を貼着するラミネート工程３００を備えるので、画像が印刷されたベース材１１の表面を保護できるとともに、長孔２３においては、厚いベース材１１が存在せず、この部分において容易にベース材１１を折り曲げることができる。
よって、厚手の素材で構成されるベース材１１を使用してアルバム２０を製造しても、見開きのベース材１１が大きく自然な開きとなるので、ベース材１１に印刷された画像の視認性に優れる。
しかも、長孔２３の天Ｈ側及び地Ｔ側にはそれぞれ天側保護部２１及び地側保護部２２を残して長孔２３を形成し、長孔２３ではベース材１１より薄くて軟質なフィルム１３が表裏から貼り合わされ、天側保護部２１及び地側保護部２２では、表側のフィルム１３、ベース材１１、裏側のフィルム１３の三層構造となるので、この折り曲げる長孔２３部分の強度を保つことができる。
したがって、図９に示すように、ベース材１１を斜めに引く方向に力が加わっても長孔２３部分が破れ難いので、アルバム２０からベース材１１が脱落し難い。
【００３７】
また、ラミネート工程３００の後に、フィルム１３が貼着されたベース材１１を複数重ねてのどＧ側を綴じる綴じ工程４００を備え、その後に、天側保護部２１の一部をベース材１１の天Ｈに平行に切断して複数のベース材１１の天側端部１１ｅを切り落とすとともに、地側保護部２２の一部をベース材１１の地Ｔに平行に切断して複数のベース材１１の地側端部１１ｆを切り落とす断裁工程５００を備えるので、長孔２３部分における折り曲げ容易性と強度のバランスを調整することができる。
つまり、使用するベース材１１の厚さによって長孔２３部分での曲げ易さが異なってくるが、折り曲げる長孔２３部分の柔軟性が不足して見開きのベース材１１の開きが小さくなる場合には、断裁工程５００において、長孔２３に近い部分を切断することで、切り落とされた後に残る天側保護部２１の部位及び地側保護部２２の部位の上下方向の長さを短くすればよい。また、長孔２３部分の柔軟性が十分で見開きのベース材１１の開きが大きくなる場合には、複数のベース材１１の天Ｈ及び地Ｔが揃えられさえすればよいので、断裁工程５００において、長孔２３から遠い部分を切断することで、切り落とされた後に残る天側保護部２１の部位及び地側保護部２２の部位の上下方向の長さＬ３，Ｌ４を長くして、長孔２３部分の強度を保つことができる。
なお、本実施形態においては、切り落とされた後に残る天側保護部２１の部位及び地側保護部２２の部位の上下方向の長さＬ３，Ｌ４を、長孔２３の幅Ｗと同じか長孔２３の幅Ｗより若干短くしたが、このとき長孔２３における折り曲げ容易性と強度のバランスがよい。
【００３８】
また、切り落とされた後にも天側保護部２１及び地側保護部２２が残るので、図８に示すように、アルバム２０を天Ｈ側及び地Ｔ側から見たときには長孔２３は見えずに天側保護部２１及び地側保護部２２が見える。ここで、天側保護部２１及び地側保護部２２はベース材１１の他の部分と同じ材質、同じ色であるので、天Ｈ側及び地Ｔ側からは通常のアルバムのように見え、大きく開くアルバム２０であっても見栄えが悪くない。
【００３９】
加えて、アルバム台紙２５用のベース材１１の両面に画像を印刷する印刷工程１００の後、画像が印刷されたベース材１１ののど側縁部１１ａに、天側端部１１ｅには天側保護部２１を、地側端部１１ｆには地側保護部２２をそれぞれ残すように、のどＧに平行に延びる長孔２３を形成する孔開け工程２００を備えるので、画像の印刷が容易である。つまり、仮に孔開け工程２００の後に印刷工程１００となる場合には、ベース材１１表面から大きく凹んだ長孔２３が印刷の障害となるが、印刷工程１００の後に孔開け工程２００とする場合には、印刷に際して障害となる長孔２３がないので印刷が容易である。
【００４０】
（第二実施形態）
次に図１０と図１１を参照して、本発明の第二実施形態に係るアルバム２０及びその製造方法を説明する。なお、第一実施形態と同一部分には同一符号を付した。
本実施形態の第一実施形態との違いは、図１０に示すように、断裁工程７００と綴じ工程８００の順序であり、その他の構成要素や製造工程に関しては第一実施形態と同一である。
【００４１】
つまり、印刷工程１００、孔開け工程２００、ラミネート工程３００は第一実施形態と同一である。
そして、ラミネート工程３００においてフィルム１３が貼着されたベース材１１に対して、次工程である断裁工程７００で、図１１に示すように、天側保護部２１の一部をベース材１１の天Ｈに平行に切断してベース材１１の天側端部１１ｅを切り落とすとともに、地側保護部２２の一部をベース材１１の地Ｔに平行に切断してベース材１１の地側端部１１ｆを切り落とす。
この断裁によっても、切り落とされた後に残る天側保護部２１の部位及び地側保護部２２の部位の上下方向の長さＬ３，Ｌ４はそれぞれ２〜３ｍｍである。
この印刷工程１００、孔開け工程２００、ラミネート工程３００、及び断裁工程７００によって、アルバム台紙２５は出来上がる。
【００４２】
次に、綴じ工程８００で、端部が切り落とされたベース材１１（アルバム台紙２５）を複数、それぞれの方向を揃えて重ね、のどＧ側を綴じる。
最後に、表紙付け工程９００において、綴じられた複数のベース材１１に表紙１６を付ける。
【００４３】
以上のように製造されたアルバム２０によっても、出来上がるアルバム２０は第一実施形態におけるものと同じものである。すなわち、綴じ工程８００において、複数のベース材１１の天側端部１１ｅ、地側端部１１ｆ、小口側端部１１ｇが揃っているならば、断裁工程７００が綴じ工程８００の後である必要はない。
【００４４】
なお、第一、第二実施形態において、アルバム２０を製造したが、これに限られるものではなく、第一実施形態ではラミネート工程３００までとして、また、第二実施形態では断裁工程７００までとして、それまでの工程によって製造されたアルバム台紙２５を販売することもできる。
【００４５】
また、第一実施形態において、綴じ工程４００の後に断裁工程５００を行い、その後に表紙付け工程６００としたが、これに限られるものではなく、断裁工程５００を省略してもよい。すなわち、孔開け工程２００において、天側保護部２１及び地側保護部２２の上下方向の長さＬ１，Ｌ２が２〜３ｍｍとなるように長孔２３を形成し、しかもそれぞれのベース材１１の大きさが揃っており、しかもベース材１１を複数重ねたとき、それぞれのベース材１１の位置のバラツキが無視できる程度に小さい場合には、ベース材１１の天側端部１１ｅや地側端部１１ｆを切り落とす必要がないので、綴じ工程４００の後にすぐ表紙付け工程６００を行うことができる。よって、このように断裁工程５００を省略できれば、アルバム２０製造にかかる時間とコストを低減することができる。
【００４６】
同様に、第二実施形態において、断裁工程７００を省略し、ラミネート工程３００の後にすぐ綴じ工程８００としてもよい。もちろん、ラミネート工程３００までとして、アルバム台紙２５を製造してもよい。
【００４７】
また、長孔２３の幅Ｗを３ｍｍとしたが、これに限られるものではなく、ベース材１１の厚さ等によって適宜変更してもよい。
さらに、断裁工程５００，７００において、切り落とされた後に残る天側保護部２１の部位及び地側保護部２２の部位の上下方向の長さＬ３，Ｌ４が、長孔２３の幅Ｗ以下になるように天側端部１１ｅ及び地側端部１１ｆを切り落としたが、これに限られるものではない。
【００４８】
また、ベース材１１に写真を印刷したが、写真でなくとも画像であればよく、この画像にはイラストや文字、地模様や背景色等を含む。
また、ベース材１１の表裏両面に画像を印刷したが、これに限られるものではなく、少なくとも片面に印刷すればよい。
また、綴じ工程４００，８００において、糸で綴じたがこれに限られるものではなく、その他の一般に知られている綴じ方であってもよい。
【符号の説明】
【００４９】
１０    アルバム
１１    ベース材
１１ａ  のど側縁部
１１ｂ  天側縁部
１１ｃ  地側縁部
１１ｅ  天側端部
１１ｆ  地側端部
１１ｇ  小口側端部
１２    長孔
１２ａ  天側端部
１２ｂ  地側端部
１３    フィルム
１５    アルバム台紙
１６    表紙
１６ａ  おもて表紙
１６ｂ  背表紙
１６ｃ  裏表紙
１７    凹溝
２０    アルバム
２１    天側保護部
２２    地側保護部
２３    長孔
２５    アルバム台紙
１００    印刷工程
２００    孔開け工程
３００    ラミネート工程
４００    綴じ工程
５００    断裁工程
６００    表紙付け工程
７００    断裁工程
８００    綴じ工程
９００    表紙付け工程
Ｅ    小口
Ｇ    のど
Ｈ    天
Ｌ１  天側保護部の長さ
Ｌ２  地側保護部の長さ
Ｌ３  断裁後の天側保護部の長さ
Ｌ４  断裁後の地側保護部の長さ
Ｔ    地
Ｗ    長孔の幅
【図１】
2011218567.tif 000003
【図２】
2011218567.tif 000004
【図３】
2011218567.tif 000005
【図４】
2011218567.tif 000006
【図５】
2011218567.tif 000007
【図６】
2011218567.tif 000008
【図７】
2011218567.tif 000009
【図８】
2011218567.tif 000010
【図９】
2011218567.tif 000011
【図１０】
2011218567.tif 000012
【図１１】
2011218567.tif 000013
【図１２】
2011218567.tif 000014
【図１３】
2011218567.tif 000015
【図１４】
2011218567.tif 000016
【図１５】
2011218567.tif 000017
【図１６】
2011218567.tif 000018
【図１７】
2011218567.tif 000019
【図１８】
2011218567.tif 000020
【図１９】
2011218567.tif 000021